(57)【特許請求の範囲】
【請求項１】
剛性を有する略矩形状の枠体と、該枠体の一方の面に貼り付けられる孔版原紙とを有した孔版原紙組立体と、
該孔版原紙組立体が所定方向に挿入できように前記孔版原紙組立体の厚み分を案内する如く形成された第一の挿入路と、
該第一の挿入路の奥方に設けられ、前記第一の挿入路内に挿入された前記孔版原紙組立体の挿入先端を突き当てて位置決めする先端位置決め部と、
前記第一の挿入路内の側部に設けられ、前記第一の挿入路内に挿入されている時の前記孔版原紙組立体を挿入方向と交わる一方向に押し付け位置決めする側縁位置決め部と、
前記第一の挿入路内の挿入口近傍に設けられ、前記孔版原紙組立体を挿入方向と反する方向に搬送して前記第一の挿入路から排出する第一の搬送ローラと、
該第一の搬送ローラと対向して配設され、前記孔版原紙組立体の搬送とともに前記孔版原紙への製版を行う書き込み手段と、
前記第一の搬送ローラと前記書き込み手段との間が近接あるいは離間するように構成し、前記孔版原紙組立体の挿入先端が前記先端位置決め部に付き当てられている状態にある時、前記第一の搬送ローラと前記書き込み手段とを近接させた間で前記孔版原紙を挟持して前記孔版原紙組立体を書き込み開始の基準位置として保持する第一の保持手段と、
剛性を有する略矩形状の板体からなる載置板と、透明性を有する紙葉体からなり該載置板の一方の面に固定され、前記載置板との間で原稿を保持するカバーシートとを有する原稿ホルダーと、
該原稿ホルダーが所定方向に挿入できように前記原稿ホルダーの厚み分を案内する如く形成された第二の挿入路と、
該第二の挿入路の奥方に設けられ、前記第二の挿入路内に挿入された前記原稿ホルダーの挿入先端を突き当てて位置決めする先端位置決め部と、
前記第二の挿入路内の側部に設けられ、前記第二の挿入路内に挿入されている時の前記原稿ホルダーを挿入方向と交わる一方向に押し付け位置決めする側縁位置決め部と、
前記第二の挿入路内の挿入口近傍に設けられ、前記原稿ホルダーを挿入方向と反する方向に搬送して前記第二の挿入路から排出する第二の搬送ローラと、
該第二の搬送ローラと対向して配設され、前記原稿ホルダーの搬送とともに前記原稿ホルダーにある原稿の読み取りを行う読み取り手段と、
前記第二の搬送ローラと前記読み取り手段との間が近接あるいは離間するように構成し、前記原稿ホルダーの挿入先端が前記先端位置決め部に付き当てられている状態にある時、前記第二の搬送ローラと前記読み取り手段とを近接させた間で前記原稿ホルダーを挟持して前記原稿ホルダーを読み取り開始の基準位置として保持する第二の保持手段と、
を備えたことを特徴とする孔版原紙製版装置。
【請求項２】
前記第一の搬送ローラと前記第二の搬送ローラが、共通の回転軸に固定されて、共通の駆動機構によって駆動され、
前記第一の保持手段と前記第二の保持手段が、前記書き込み手段と前記読み取り手段とを共に連動して前記第一の搬送ローラと前記第二の搬送ローラとに近接あるいは離間するように構成されていることを特徴とする請求項１に記載の孔版原紙製版装置。
【請求項３】
剛性を有する略矩形状の枠体と、該枠体の一方の面に貼り付けられる孔版原紙とを有した孔版原紙組立体と、
剛性を有する略矩形状の板体からなる載置板と、透明性を有する紙葉体からなり該載置板の一方の面に固定され、前記載置板との間で原稿を保持するカバーシートとを有する原稿ホルダーと、
前記孔版原紙組立体あるいは前記原稿ホルダーが所定方向に挿入できように前記孔版原紙組立体および前記原稿ホルダーの厚み分を案内する如く形成された共通の挿入路と、
該挿入路の奥方に設けられ、前記挿入路内に挿入された前記孔版原紙組立体あるいは前記原稿ホルダーの挿入先端を突き当てて位置決めする先端位置決め部と、
前記挿入路内の側部に設けられ、前記挿入路内に挿入されている時の前記孔版原紙組立体あるいは前記原稿ホルダーを挿入方向と交わる一方向に押し付け位置決めする側縁位置決め部と、
前記挿入路内の挿入口近傍に設けられ、前記挿入路内に挿入された前記孔版原紙組立体あるいは前記原稿ホルダーを挿入方向と反する方向に搬送して前記挿入路から排出するように併設された一対の搬送ローラと、
該搬送ローラの一方と対向して配設され、前記孔版原紙組立体の搬送とともに前記孔版原紙への製版を行う書き込み手段と、
前記搬送ローラの他方と対向して配設され、前記原稿ホルダーの搬送とともに前記原稿ホルダーにある原稿の読み取りを行う読み取り手段と、
前記一方の搬送ローラと書き込み手段との間が近接あるいは離間するように構成し、前記挿入路に挿入された前記孔版原紙組立体の挿入先端が前記先端位置決め部に付き当てられている状態にある時、前記一方の搬送ローラに対し、前記書き込み手段を近接させた間で前記孔版原紙を挟持して前記孔版原紙組立体を書き込み開始の基準位置として保持する第一の保持手段と、
前記他方の搬送ローラと読み取り手段との間が近接あるいは離間するように構成し、前記挿入路に挿入された前記原稿ホルダーの挿入先端が前記先端位置決め部に付き当てられている状態にある時、前記他方の搬送ローラに対し、前記読み取り手段を近接させた間で前記原紙ホルダーを挟持して前記原稿ホルダーを読み取り開始の基準位置として保持する第二の保持手段と、
を備えたことを特徴とする孔版原紙製版装置。
【発明の詳細な説明】
【０００１】
【発明の属する技術分野】
本発明は、基台上に載置された印刷用紙に対し、製版された孔版原紙を介して押圧板を押し付けて印刷を行う孔版印刷装置にかかり、特に剛性の枠体を備えた孔版原紙組立体に対して適した位置に製版を行うようにした孔版原紙製版装置に関するものである。
【０００２】
【従来の技術】
一般に知られている孔版印刷装置として、図９に示すものがある。この孔版印刷装置は、印刷用紙１０１が載置される台座１０２を有した基台１０３と、基台１０３に対して回動自在に軸支された押圧板１０４とを有している。押圧板１０４には、基台１０３に対面し得る側に製版された孔版原紙組立体１が取り付けられる。そして、台座１０２上に印刷用紙１０１を載置し、インクを載せた孔版原紙組立体１を取り付けた押圧板１０４を基台１０３に向けて回動させ、孔版原紙組立体１の孔版原紙４部分を印刷用紙１０１に押し付けることにより印刷を行う。
【０００３】
上記の孔版印刷装置に用いられる孔版原紙組立体１は、図９に示すように、所定の厚さと剛性を有する略矩形状の枠体３を基体としている。枠体３の一方の面には、孔版原紙４が貼り付けられている。孔版原紙４は、熱可塑性樹脂フィルムに多孔性支持体を貼り合わせて構成された感熱孔版原紙である。また、枠体３の他方の面には、インク不通過性のバックシート５が固定されている、バックシート５は、枠体３と略同一の外形をなしている。バックシート５は、その一短縁辺が、対応する枠体３の一短縁辺に固定されている。
【０００４】
このように構成された孔版原紙組立体１において、枠体３は、その剛性により孔版印刷装置の押圧板１０４の支持部１０５への取り付けの時の位置決めを行う。また、枠体３は、その厚さにより、孔版原紙４上に載せられる所望のインク量を十分に得ると共に、このインクの外部へのはみ出しを防止する。なお、孔版原紙４上に載せられる所望のインク量とは、多枚数の印刷を行うために必要な量である。
また、バックシート５は、孔版原紙４上に載せられたインクを覆い、インクの漏れを防止する。
【０００５】
上記孔版原紙４に製版を行う孔版原紙製版装置としては、ハロゲンランプ，キセノンランプ，フラッシュランプなどによる閃光照射や赤外線照射、レーザ光線などのパルス的照射、あるいはサーマルヘッドなどの熱をコントロールすることにより、所望の穿孔画像を孔版原紙上に形成するものがある。この中で外部からの電気信号を熱に変換して製版する、所謂デジタル方式での製版としては、レーザ光線，サーマルヘッドによる製版が挙げられる。
【０００６】
デジタル方式での製版は、写真などのカラー画像や、パソコン，ワープロなどで作成した画像の製版に適している。特にカラー画像の場合には、カラー原稿をシアン，マゼンタ，イエローの三色に色分解した各色毎の製版を行うため、デジタル方式の製版が好適である。
【０００７】
そして、一般に孔版原紙に対してデジタル方式（サーマルヘッド）での製版を行う場合、サーマルヘッドに対し孔版原紙を相対移動させる。一般的には、固定されたサーマルヘッドと対向する搬送ローラを有し、搬送ローラの回転駆動と共に、サーマルヘッドと搬送ローラの間に孔版原紙を挟みながら送る。これにより孔版原紙に所望の製版圧がかかって製版が行われる。
【０００８】
ところが、上記の如く孔版印刷装置に用いられる孔版原紙組立体１に対して製版を行う場合、剛性を有した枠体３があるため、サーマルヘッドと搬送ローラとによる孔版原紙４の挟み込みが良好に行われない。特に、枠体３近傍の孔版原紙４に対して十分な製版圧がかからず、適宜製版を行うことができなかった。
【０００９】
このため、従来では、バックシート５を有した枠体３から、孔版原紙４を分離し、孔版原紙４のみに製版を行った後、枠体３に孔版原紙４を取り付けて孔版原紙組立体１を構成してから印刷を行うようにしている。
【００１０】
【発明が解決しようとする課題】
しかしながら、上述した従来の孔版原紙製版装置では、製版の後、枠体３への孔版原紙４の取り付けが人手の作業となるので、枠体３と孔版原紙４との間の位置精度が損なわれることとなる。このため、製版時に印刷用紙１０１の位置に対応するように孔版原紙４への画像の位置決めを行ったとしても、枠体３に対して孔版原紙４に製版された画像位置がズレるおそれがある。即ち、孔版印刷装置側に枠体３を以て位置決めを行っても、その位置は、印刷用紙１０１に対応するように孔版原紙４に位置決めした画像の正確な位置ではなくなってしまう。
特に、多版刷りであるフルカラー印刷のように、シアン，マゼンタ，イエローに色分解された複数の孔版原紙４を用いる場合には、上述の位置ズレによって、印刷時に印刷用紙１０１に対する各孔版原紙４間での位置ズレが発生して鮮明なフルカラー画像が得られないこととなる。
【００１１】
このような位置ズレに対し、孔版印刷装置側に対して以下の位置決め機能をもたせている。この機能は、印刷用紙１０１が載置される台座１０２を移動調整可能に構成し、一版目終了後に一版目の印刷用紙を台座載置し、一版目上に位置決めされた透明シート（不図示）を置いて二版目を印刷し、二版目が印刷された透明シートの画像に対して、一版目の画像位置が重なるように台座１０２を移動させる。同様に二版目と三版目との位置決めも行う。
ところが、印刷時において、上記作業を行うことは、操作者にとって不便な作業である。また、上記作業は、ある程度の慣れがないと煩雑な操作である。
【００１２】
そこで本発明は、上記課題を解消するために、孔版原紙組立体に対し所望とする位置に正確に製版を行うことができる孔版原紙製版装置を提供することを目的としている。
【００１４】
【課題を解決するための手段】
上記目的を達成するため本発明による請求項１に記載の孔版原紙製版装置は、剛性を有する略矩形状の枠体と、該枠体の一方の面に貼り付けられる孔版原紙とを有した孔版原紙組立体と、
該孔版原紙組立体が所定方向に挿入できように前記孔版原紙組立体の厚み分を案内する如く形成された第一の挿入路と、
該第一の挿入路の奥方に設けられ、前記第一の挿入路内に挿入された前記孔版原紙組立体の挿入先端を突き当てて位置決めする先端位置決め部と、
前記第一の挿入路内の側部に設けられ、前記第一の挿入路内に挿入されている時の前記孔版原紙組立体を挿入方向と交わる一方向に押し付け位置決めする側縁位置決め部と、
前記第一の挿入路内の挿入口近傍に設けられ、前記孔版原紙組立体を挿入方向と反する方向に搬送して前記第一の挿入路から排出する第一の搬送ローラと、
該第一の搬送ローラと対向して配設され、前記孔版原紙組立体の搬送とともに前記孔版原紙への製版を行う書き込み手段と、
前記第一の搬送ローラと前記書き込み手段との間が近接あるいは離間するように構成し、前記孔版原紙組立体の挿入先端が前記先端位置決め部に付き当てられている状態にある時、前記第一の搬送ローラと前記書き込み手段とを近接させた間で前記孔版原紙を挟持して前記孔版原紙組立体を書き込み開始の基準位置として保持する第一の保持手段と、
剛性を有する略矩形状の板体からなる載置板と、透明性を有する紙葉体からなり該載置板の一方の面に固定され、前記載置板との間で原稿を保持するカバーシートとを有する原稿ホルダーと、
該原稿ホルダーが所定方向に挿入できように前記原稿ホルダーの厚み分を案内する如く形成された第二の挿入路と、
該第二の挿入路の奥方に設けられ、前記第二の挿入路内に挿入された前記原稿ホルダーの挿入先端を突き当てて位置決めする先端位置決め部と、
前記第二の挿入路内の側部に設けられ、前記第二の挿入路内に挿入されている時の前記原稿ホルダーを挿入方向と交わる一方向に押し付け位置決めする側縁位置決め部と、
前記第二の挿入路内の挿入口近傍に設けられ、前記原稿ホルダーを挿入方向と反する方向に搬送して前記第二の挿入路から排出する第二の搬送ローラと、
該第二の搬送ローラと対向して配設され、前記原稿ホルダーの搬送とともに前記原稿ホルダーにある原稿の読み取りを行う読み取り手段と、
前記第二の搬送ローラと前記読み取り手段との間が近接あるいは離間するように構成し、前記原稿ホルダーの挿入先端が前記先端位置決め部に付き当てられている状態にある時、前記第二の搬送ローラと前記読み取り手段とを近接させた間で前記原稿ホルダーを挟持して前記原稿ホルダーを読み取り開始の基準位置として保持する第二の保持手段と、
を備えたことを特徴とする。
【００１５】
請求項２に記載の孔版原紙製版装置は、請求項１に記載の孔版原紙製版装置において、
前記第一の搬送ローラと前記第二の搬送ローラが、共通の回転軸に固定されて、共通の駆動機構によって駆動され、
前記第一の保持手段と前記第二の保持手段が、前記書き込み手段と前記読み取り手段とを共に連動して前記第一の搬送ローラと前記第二の搬送ローラとに近接あるいは離間するように構成されていることを特徴とする。
【００１６】
請求項３に記載の孔版原紙製版装置は、剛性を有する略矩形状の枠体と、該枠体の一方の面に貼り付けられる孔版原紙とを有した孔版原紙組立体と、
剛性を有する略矩形状の板体からなる載置板と、透明性を有する紙葉体からなり該載置板の一方の面に固定され、前記載置板との間で原稿を保持するカバーシートとを有する原稿ホルダーと、
前記孔版原紙組立体あるいは前記原稿ホルダーが所定方向に挿入できように前記孔版原紙組立体および前記原稿ホルダーの厚み分を案内する如く形成された共通の挿入路と、
該挿入路の奥方に設けられ、前記挿入路内に挿入された前記孔版原紙組立体あるいは前記原稿ホルダーの挿入先端を突き当てて位置決めする先端位置決め部と、
前記挿入路内の側部に設けられ、前記挿入路内に挿入されている時の前記孔版原紙組立体あるいは前記原稿ホルダーを挿入方向と交わる一方向に押し付け位置決めする側縁位置決め部と、
前記挿入路内の挿入口近傍に設けられ、前記挿入路内に挿入された前記孔版原紙組立体あるいは前記原稿ホルダーを挿入方向と反する方向に搬送して前記挿入路から排出するように併設された一対の搬送ローラと、
該搬送ローラの一方と対向して配設され、前記孔版原紙組立体の搬送とともに前記孔版原紙への製版を行う書き込み手段と、
前記搬送ローラの他方と対向して配設され、前記原稿ホルダーの搬送とともに前記原稿ホルダーにある原稿の読み取りを行う読み取り手段と、
前記一方の搬送ローラと書き込み手段との間が近接あるいは離間するように構成し、前記挿入路に挿入された前記孔版原紙組立体の挿入先端が前記先端位置決め部に付き当てられている状態にある時、前記一方の搬送ローラに対し、前記書き込み手段を近接させた間で前記孔版原紙を挟持して前記孔版原紙組立体を書き込み開始の基準位置として保持する第一の保持手段と、
前記他方の搬送ローラと読み取り手段との間が近接あるいは離間するように構成し、前記挿入路に挿入された前記原稿ホルダーの挿入先端が前記先端位置決め部に付き当てられている状態にある時、前記他方の搬送ローラに対し、前記読み取り手段を近接させた間で前記原紙ホルダーを挟持して前記原稿ホルダーを読み取り開始の基準位置として保持する第二の保持手段と、
を備えたことを特徴とする。
【００１７】
【発明の実施の形態】
以下、本発明の実施の形態を図面を参照して具体的に説明する。
図１は本発明の孔版原紙製版装置の実施の形態を示す斜視図、図２は同孔版原紙製版装置の横断面図（平面視）、図３は同孔版原紙製版装置の縦断面図（側面視）、図４は同孔版原紙製版装置の縦断面図（正面視）である。
【００１８】
本発明の孔版原紙製版装置は、上述した従来例にて説明した孔版原紙組立体１に対して製版を行うものであり、孔版原紙組立体１に対して画像を書き込む書き込み部Ａと共に、孔版原紙組立体１に書き込むべき画像を読み取るように、原稿ホルダー２に保持された所望の原稿を読み取る読み取り部Ｂを兼備している。
【００１９】
最初に、孔版原紙組立体１および原稿ホルダー２について説明する。
孔版原紙組立体１は、図１に示すように、所定の厚さと剛性を有する略矩形状の枠体３を基体としている。枠体３は、厚紙などからなる。
枠体３の一方の面には、孔版原紙４が貼り付けられている。孔版原紙４は、ポリエチレンテレフタレートフィルムや塩化ビニリデンフィルム、ポリエステル、ポリプロピレンフィルムなどの熱可塑性樹脂フィルムに、天然繊維、化学繊維または合成繊維あるいはこれらを混抄した薄葉紙、不織布、紗などによって構成された多孔性支持体を貼り合わせて構成された感熱孔版原紙である。そして、この孔版原紙４の多孔性支持体側が枠体３の一方の面に貼り付けられる。
枠体３の他方の面には、インク不通過性のバックシート５が固定されている、バックシート５は、枠体３の厚みを介して、枠体３の中央開口部３ａから望む孔版原紙４を覆うように、枠体３と略同一の外形をなしている。バックシート５は、その一短縁辺が、対応する枠体３の一短縁辺に固定され、他短縁辺が、対応する枠体３の他短縁辺側に略一致して開閉自在とされている。
【００２０】
原稿ホルダー２は、図１に示すように、所定の厚さと剛性を有する略矩形状の板体からなる載置板６を基体としている。載置板６は、厚紙や合成樹脂板などからなる。この載置板６の一方の面には、略矩形状の枠線７が印刷されている。枠線７は、孔版原紙組立体１において枠体３の中央開口部分３ａから望む孔版原紙４の外形と略同じ外形をなしている。即ち、枠線７は、孔版原紙組立体１の孔版原紙４に書き込まれる有効な画像領域をなす。
【００２１】
載置板６の一方の面には、透明性を有する紙葉体からなるカバーシート８が固定されている。カバーシート８は、枠線７を覆う外形を有し、載置板６と略同一の幅（短辺）をなしている。カバーシート８は、その一短縁辺が、載置板６の中途部分に固定され、他短縁辺が、対応する載置板６の他短縁辺側に略一致して開閉自在とされている。
【００２２】
また、載置板６の一方の面には、枠線７とともに検出用パターン７ａが印刷されている。この検出パターン７ａは、枠線７のカバーシート８が固定された近傍であって、短縁方向の両側部にそれぞれ形成されて対をなしている。この検出用パターン７ａは、例えば三角形状をなしている。
【００２３】
所望の原稿９は、載置板６の枠線７内において、読み取られるべき面を表側にして載置される。そしてその上からカバーシート８にて覆われて保持される。
【００２４】
以下、本発明の孔版原紙製版装置を説明する。
まず、孔版原紙組立体１に画像情報を書き込む書き込み部Ａについて図１乃至図４を以て説明する。
書き込み部Ａは、図１、図２及び図４における右側に配されている。この書き込み部Ａは、孔版原紙組立体１が挿入される第一の挿入路１０を有している。第一の挿入路１０の手前側には、孔版原紙組立体１が枠体３の短縁辺側から挿入できるように挿入口１１が形成されている。挿入口１１には、孔版原紙組立体１の枠体３の短縁辺を受け入れる側幅を有し、且つ、枠体３の両面を受け入れ安いように、徐々に狭まるように上下に対向した各傾斜部１１ａを有している。
【００２５】
第一の挿入路１０の上側および下側には、それぞれ孔版原紙組立体１の挿入方向に沿って形成された上下複数のリブ片１２が延設されている。上下各リブ片１２は、延出した端部が対向し、その間に所定の間隔を有している。この間隔は、孔版原紙組立体１の枠体３の厚み分が通れる間隔である。ゆえに、孔版原紙組立体１は、上下のリブ片１２の延出した端部によって案内されて第一の挿入路１０に挿入される。
【００２６】
第一の挿入路１０の奥方には、先端位置決め部１３が設けられている。この先端位置決め部１３は、第一の挿入路１０に挿入された孔版原紙組立体１の挿入先端１ａが当接する部位である。本実施の形態での先端位置決め部１３は、第一の挿入路１０の奥方にて、前記リブ片１２と直交するように略垂直に延設されたリブ１４の一部に対し、挿入口１１側に向かって突出する如く膨出形成されている。なお、図１及び図２において、先端位置決め部１３は単一の構成であるが、一様な突出状態で膨出されているものが複数ある構成であってもよい。
【００２７】
第一の挿入路１０の側部には、側縁位置決め部１５が設けられている。側縁位置決め部１５は、当接部１５ａと押圧部１５ｂとを有している。当接部１５ａと押圧部１５ｂは、第一の挿入路１０に挿入された孔版原紙組立体１の両側部にそれぞれ対向して設けられている。
当接部１５ａは、孔版原紙組立体１の一側縁が当接し得る部位である。本実施の形態での当接部１５ａは、第一の挿入路１０の一側部にて、前記リブ片１２と平行するように略垂直に延設されたリブ１６の一部に対し、挿入口１１側に向かって突出する如く膨出形成されている。
【００２８】
また、押圧部１５ｂは、孔版原紙組立体１の他側縁が当接し得る部位であって、該他側縁を孔版原紙組立体１の挿入方向と交わる方向に押し付ける部位である。本実施の形態での押圧部１５ｂは、第一の挿入路１０の他側部にて、当接部１５ａと対向する如く基端が固定された設けられた板バネからなる。そして、この板バネの先端を湾曲させて、第一の挿入路１０内に突出するように形成されている。ゆえに、第一の挿入路１０に挿入された孔版原紙組立体１は、他側縁が押圧部１５ｂによって進行方向と交わる一方向に押し付けられ、一側縁が押圧部１５ｂと対向する当接部１５ａに当接して両側方にズレることなく第一の挿入路１０内を進退する。また、対をなす当接部１５ａと押圧部１５ｂは、第一の挿入路１０内に複数設けられていることが好ましい。本実施の形態では、二箇所に設けられている。
【００２９】
このように、第一の挿入路１０内において、挿入された孔版原紙組立体１は、上下方向（面方向）が各リブ片１２の間で案内され、且つ、両側方向が側縁位置決め部１５によって位置決めされる。さらに、第一の挿入路１０内における孔版原紙組立体１は、挿入先端が先端位置決め部１３に当接することで挿入方向が位置決めされ、その状態で止まる。
また、第一の挿入路１０の奥方には、孔版原紙組立体１が挿入されたか否かを検出する為に、タッチセンサ３４が設けられている。
【００３０】
また、第一の挿入路１０内には、その内部にて、上述の如く位置決めされた孔版原紙組立体１を挿入口１１から後退させる如く排出する第一の搬送ローラ１７と、この搬送中に孔版原紙組立体１の孔版原紙４に製版を行う書き込み手段１８が設けられている。
【００３１】
第一の搬送ローラ１７は、第一の挿入路１０内の挿入口１１近傍に設けられている。この第一の搬送ローラ１７は、位置決めされた孔版原紙組立体１の後端側であり、枠体２内の孔版原紙４のみに接触し得るように、孔版原紙組立体１の下面側に配されている。第一の搬送ローラ１７は、孔版原紙組立体１の挿入方向に直交する回転軸１９に固定されている。
【００３２】
回転軸１９は、回転自在に支持され、駆動モータ２０及び駆動モータ２０の出力軸の回転を減速して伝達する複数の歯車２１からなる駆動機構により、図３中時計廻り反対方向に回転駆動される。第一の搬送ローラ１７は、この回転軸１９の回転によって同方向に回転する。
【００３３】
書き込み手段１８は、第一の搬送ローラ１７の上方にて、位置決めされた孔版原紙組立体１を第一の搬送ローラ１７との間に介するように、第一の搬送ローラ１７と対向して配されている。書き込み手段１８は、サーマルヘッド２２を構成している。サーマルヘッド２２は両側方向に長尺な略短冊板状であり、孔版原紙組立体１の挿入方向に直交して設置されている。サーマルヘッド２２の下面には、孔版原紙の両側方向（短片方向）と平行に並んだ複数の発熱体を備えた処理面２２ａが形成されており、この処理面２２ａが孔版原紙４と接触して孔版原紙４を加熱穿孔する。
【００３４】
また、書き込み手段１８としてのサーマルヘッド２２は、処理面２２ａを第一の搬送ローラ１７に対向させ、処理面２２ａと第一の搬送ローラ１７との間が近接あるいは離間するように第一の保持手段２３によって支持されている。
【００３５】
以下、第一の保持手段２３を説明する。
サーマルヘッド２２の上面には、長尺の支持板２４が固定されている。この支持板２４は、その上方に支軸２５を延設している。支軸２５は対をなし、サーマルヘッド２２の長手方向に併設されている。
【００３６】
支持板２４は、昇降板２６に取り付けられている。昇降板２６は、支持板２４と同様に長尺に形成され、各支軸２５を遊挿する通し穴２７が設けられている。そして、通し穴２７に支軸２５を通し、支軸２５の先端を抜止めすることにより、昇降板２６に対し、支持板２４が支軸２５を介して摺動可能に取り付けられる。また、支持板２４と昇降板２６の間には、支軸２５に巻かれた圧縮コイルバネ２８が介在されて、互いに離間する方向に付勢されている。
【００３７】
昇降板２６は、支持軸２９に支持されている。支持軸２９は、上記第一の搬送ローラ１７を固定する回転軸１９に対して併設され、回転軸１９の上方に回転可能に支持されている。支持軸２９には、昇降板２６の長手方向の両端部近傍に位置する二箇所にプーリ３０が固定されている。各プーリ３０には、上方からコイルバネ３１が架け廻されている。コイルバネ３１の各端部は、昇降板２６の長手方向の両端部に固定されている。これにより、昇降板２６は、支持軸２６にコイルバネ３１を介して吊設される。
【００３８】
また、支持軸２９には、各プーリ３０間に同形状の一対の板カム３２が固定されている。各板カム３２の外周は、コイルバネ３１に引き上げられた昇降板２６の上面に接触している。
【００３９】
支持軸２９を回転させることにより、各板カム３２が回転すると、板カム３２の小径部が昇降板２６に接触している時は、昇降板２６がコイルバネ３１に引き上げられて上方に位置する。また、板カム３２の大径部が昇降板２６に接触する時は、昇降板２６がコイルバネ３１のバネ力に抗して下方に移動する。
この支持軸２９の回転は、装置外に引き出されている支持軸２９の一端に固定された操作レバー３３の操作による。
【００４０】
即ち、昇降板２６の昇降により、サーマルヘッド２２を固定する支持板２４も昇降することとなる。昇降板２６の下降に伴って支持板２４が下降すると、サーマルヘッド２２の処理面２２ａが第一の搬送ローラ１７の外周に近接して接触する。昇降板２６のさらなる下降に伴って支持板２４がさらに下降すると、支持板２４が昇降板２６との間に介在された圧縮コイルバネ２８のバネ力によって押されてサーマルヘッド２２を適宜第一の搬送ローラ１７に押し付けることとなる（図６参照）。
逆に、昇降板２６が上昇すると、サーマルヘッド２２の処理面２２ａが第一の搬送ローラ１７から離間する。このように、第一の保持手段２３は、操作レバー３３の操作によって、サーマルヘッド２２の処理面２２ａと第一の搬送ローラ１７との間を近接あるいは離間する。
【００４１】
このような第一の挿入路１０内において、上述の如く孔版原紙組立体１が位置決めされている時、第一の保持手段２３によってサーマルヘッド２２が下降して第一の搬送ローラ１７に近接すると、孔版原紙組立体１の後端側にて孔版原紙４が第一の搬送ローラ１７とサーマルヘッド２２の間に挟まれることとなる。この状態から、第一の搬送ローラ１７を駆動すると、孔版原紙組立体１が第一の挿入路１０から排出され始め、ある所定の排出が実行されると孔版原紙４への書き込みを開始することが可能となる。即ち、孔版原紙組立体１が位置決めされ、第一の保持手段２３によって孔版原紙組立体１が第一の搬送ローラ１７とサーマルヘッド２２の間に挟持された時が書き込み開始の基準位置となる。
【００４２】
次に、原紙ホルダー２に保持された原稿９の画像情報を読み取る読み取り部Ｂについて図１乃至図４を以て説明する。
読み取り部Ｂは、図１、図２及び図４における左側に配されている。この読み取り部Ｂは、原稿ホルダー２が挿入される第二の挿入路４０を有している。第二の挿入路４０の手前側には、原稿ホルダー２がその短縁辺側から挿入できるように挿入口４１が形成されている。挿入口４１には、原稿ホルダー２の短縁辺を受け入れる側幅を有し、且つ、原稿ホルダー２の両面を受け入れ易いように、徐々に狭まるように上下に対向した各傾斜部４１ａを有している。
【００４３】
第二の挿入路４０の上側および下側には、それぞれ原稿ホルダー２の挿入方向に沿って形成された上下複数のリブ片４２が延設されている。上下各リブ片４２は、延出した端部が対向し、その間に所定の間隔を有している。この間隔は、原稿ホルダー２の厚み分が通れる間隔である。ゆえに、原稿ホルダー２は、上下のリブ片４２の延出した端部に案内されて第二の挿入路４０に挿入される。
【００４４】
第二の挿入路４０の奥方には、先端位置決め部４３が設けられている。この先端位置決め部４３は、第二の挿入路４０に挿入された原稿ホルダー２の挿入先端２ａが当接する部位である。本実施の形態での先端位置決め部４３は、第二の挿入路４０の奥方にて、前記リブ片４２と直交するように略垂直に延設されたリブ４４の一部に対し、挿入口４１側に向かって突出する如く膨出形成されている。なお、図１および図２において、先端位置決め部４３は単一の構成であるが、一様な突出状態で膨出されているものが複数ある構成であってもよい。
【００４５】
第二の挿入路４０の側部には、側縁位置決め部４５が設けられている。側縁位置決め部４５は、当接部４５ａと押圧部４５ｂとを有している。当接部４５ａと押圧部４５ｂは、第二の挿入路４０に挿入された原稿ホルダー２の両側部にそれぞれ対向して設けれている。
当接部４５ａは、原稿ホルダー２の一側縁が当接し得る部位である。本実施の形態での当接部４５ａは、第二の挿入路４０の一側部にて、前記リブ片４２と平行するように略垂直に延設されたリブ４６の一部に対し、挿入口４１側に向かって突出する如く膨出形成されている。
【００４６】
また、押圧部４５ｂは、原稿ホルダー２の他側縁が当接し得る部位であって、該他側縁を原稿ホルダー２の挿入方向と交わる方向に押し付ける部位である。本実施の形態での押圧部４５ｂは、第二の挿入路４０の他側部にて、当接部４５ａと対向する如く基端が固定された設けられた板バネからなる。そして、この板バネの先端を湾曲させて、第二の挿入路４０内に突出するように形成されている。ゆえに、第二の挿入路４０に挿入された原稿ホルダー１は、他側縁が押圧部４５ｂによって進行方向と交わる一方向に押し付けられ、一側縁が押圧部４５ｂと対向する当接部４５ａに当接して両側方にズレることなく第二の挿入路４０内を進退する。また、対をなす当接部４５ａと押圧部４５ｂは、第二の挿入路４０内に複数設けられていることが好ましい。本実施の形態では、二箇所に設けられている。
【００４７】
このように、第二の挿入路４０内において、挿入された原稿ホルダー２は、上下方向（面方向）が各リブ片４２の間で案内され、且つ、両側方向が側縁位置決め部４５によって位置決めされる。さらに、第二の挿入路４０内における原稿ホルダー２は、挿入先端が先端位置決め部４３に当接することで挿入方向が位置決めされ、その状態で止まる。
【００４８】
また、第二の挿入路４０内には、その内部にて、上述の如く位置決めされた原稿ホルダー２を挿入口４１から後退させる如く排出する第二の搬送ローラ４７と、この搬送中に原稿ホルダー２の原稿９の画像情報の読み取りを行う読み取り手段４８が設けられている。
【００４９】
第二の搬送ローラ４７は、第二の挿入路４０内の挿入口４１近傍に設けられている。この第二の搬送ローラ４７は、位置決めされた原稿ホルダー２の後端側に接触し得るように、原稿ホルダー２の下面側に配されている。第二の搬送ローラ４７は、上記第一の搬送ローラ１７が固定された回転軸１９に共に固定されている。
【００５０】
第二の搬送ローラ４７は、駆動モータ２０および複数の歯車２１からなる上記駆動機構による回転軸１９の回転によって、図３中時計廻り反対方向に回転する。
【００５１】
読み取り手段４８は、第二の搬送ローラ４７の上方にて、位置決めされた原稿ホルダー２を第二の搬送ローラ４７との間に介するように、第二の搬送ローラ４７と対向して配されている。読み取り手段４８は、原稿ホルダー２の原稿９の画像をライン毎に読み取るためのＣＣＤセンサからなる密着型イメージセンサ５２を構成している。イメージセンサ５２は両側方向に長尺な略短冊板状であり、原稿ホルダー２の挿入方向に直交して配置されている。イメージセンサ５２は、その長手方向に複数個のドット列として配置された素子を有している。イメージセンサ５２の各素子は、原稿ホルダー２側と接触する読取面５２ａ上に焦点が位置するように配列がなされている。
【００５２】
また、読み取り手段４８としてのイメージセンサ５２は、読取面５２ａを第二の搬送ローラ４７に対向させ、読取面５２ａと第二の搬送ローラ４７との間が近接あるいは離間するように第二の保持手段５３によって支持されている。
【００５３】
以下、第二の保持手段５３を説明する。
この第二の保持手段５３は、上述した第一の保持手段２３と同様に構成されている。ゆえに、第二の保持手段５３の構成には、第一の保持手段２３と同じ符号を付して説明する。
【００５４】
イメージセンサ５２の上面には、長尺の支持板２４が固定されている。この支持板２４は、その上方に支軸２５を延設している。支軸２５は対をなし、イメージセンサ５２の長手方向に併設されている。
【００５５】
支持板２４は、昇降板２６に取り付けられている。昇降板２６は、支持板２４と同様に長尺に形成され、各支軸２５を遊挿する通し穴２７が設けられている。そして、通し穴２７に支軸２５を通し、支軸２５の先端を抜止めすることにより、昇降板２６に対し、支持板２４が支軸２５を介して摺動可能に取り付けられる。また、支持板２４と昇降板２６の間には、支軸２５に巻かれた圧縮コイルバネ２８が介在されて、互いに離間する方向に付勢されている。
【００５６】
昇降板２６は、支持軸２９に支持されている。支持軸２９は、上記第二の搬送ローラ４７を固定する回転軸１９に対して併設され、回転軸１９の上方に回転可能に支持されている。支持軸２９には、昇降板２６の長手方向の両端部近傍に位置する二箇所にプーリ３０が固定されている。各プーリ３０には、上方からコイルバネ３１が架け廻されている。コイルバネ３１の各端部は、昇降板２６の長手方向の両端部に固定されている。これにより、昇降板２６は、支持軸２６にコイルバネ３１を介して吊設される。
【００５７】
また、支持軸２９には、各プーリ３０間に同形状の一対の板カム３２が固定されている。各板カム３２の外周は、コイルバネ３１に引き上げられた昇降板２６の上面に接触している。
【００５８】
支持軸２９を回転させることにより、各板カム３２が回転すると、板カム３２の小径部が昇降板２６に接触している時は、昇降板２６がコイルバネ３１に引き上げられて上方に位置する。また、板カム３２の大径部が昇降板２６に接触する時は、昇降板２６がコイルバネ３１のバネ力に抗して下方に移動する。
この支持軸２９の回転は、装置外に引き出されている支持軸２９の一端に固定された操作レバー３３の操作による。
【００５９】
即ち、昇降板２６の昇降により、イメージセンサ５２を固定する支持板２４も昇降することとなる。昇降板２６の下降に伴って支持板２４が下降すると、イメージセンサ５２の読取面５２ａが第二の搬送ローラ４７の外周に近接して接触する。昇降板２６のさらなる下降に伴って支持板２４がさらに下降すると、支持板２４が昇降板２６との間に介在された圧縮コイルバネ２８のバネ力によって押されてイメージセンサ５２を適宜第二の搬送ローラ４７に押し付けることとなる（図６参照）。
逆に、昇降板２６が上昇すると、イメージセンサ５２の読取面５２ａが第二の搬送ローラ４７から離間する。このように、第二の保持手段５３は、操作レバー３３の操作によって、イメージセンサ５２の読取面５２ａと第二の搬送ローラ４７との間を近接あるいは離間する。
【００６０】
このような第二の挿入路４０内において、上述の如く原稿ホルダー２が位置決めされている時、第二の保持手段５３によってイメージセンサ５２が下降して第二の搬送ローラ４７に近接すると、原稿ホルダー２の後端側が第二の搬送ローラ４７とイメージセンサ５２の間に挟まれることとなる。この状態から、第二の搬送ローラ４７を駆動すると、原稿ホルダー２が第二の挿入路４０から排出され始め、ある所定の排出が実行されると原稿９の読み取りを開始することが可能となる。即ち、原稿ホルダー２が位置決めされ、第二の保持手段５３によって原稿ホルダー２が第二の搬送ローラ４７とイメージセンサ５２の間に挟持された時が読み取り開始の基準位置となる。
【００６１】
以下、上記構成の孔版原紙製版装置の各動作を説明する。
まず、孔版原紙組立体１を第一の挿入路１０に挿入する。
この際、孔版原紙４側を上面、即ちサーマルヘッド２２が当接する側に向けるとともに、下面のバックシート５を、枠体３からの離れるように捲っておく（図１参照）。
【００６２】
そして、上記の如く孔版原紙組立体１において、バックシート５が開閉できる他短縁辺側を挿入先端１ａとして、第一の挿入路１０の挿入口１１に挿入し、孔版原紙組立体１が止まるまで押し入れる。
【００６３】
孔版原紙組立体１が第一の挿入路１０に対して止まるまで押し入れられた時、孔版原紙組立体１は、図５に示すように、枠体３の他短縁辺側である挿入先端１ａが先端位置決め部１３に当接するとともに、側縁位置決め部１５の押圧部１５ｂに押圧された枠体３の一側縁が当接部１５ａに当接している位置決め状態にある。
【００６４】
次に、原稿ホルダー２を第二の挿入路４０に挿入する。
この際、上面のカバーシート８を捲り、載置板６の枠線７内に原稿９を載置し、そのうえからカバーシート８を被せておく（図１参照）。
【００６５】
そして、上記の如く原稿ホルダー２において、カバーシート８が開閉できる他短縁辺側を挿入先端２ａとして、第二の挿入路４０の挿入口４１に挿入し、原稿ホルダー２が止まるまで押し入れる。
【００６６】
原稿ホルダー２が第二の挿入路４０に対して止まるまで押し入れられた時、原稿ホルダー２は、図５に示すように、載置板６の他短縁辺側である挿入先端２ａが先端位置決め部４３に当接するとともに、側縁位置決め部４５の押圧部４５ｂに押圧された載置板６の一側縁が当接部４５ａに当接している位置決め状態にある。
【００６７】
上記の如く孔版原紙組立体１と原稿ホルダー２を位置決め状態とした後、操作レバー３３を操作する。
そして、操作レバー３３の操作により、支持軸２９が回転し、図６に示すように、第一の保持手段２３および第二の保持手段５３が作動してサーマルヘッド２２を第一の搬送ローラ１７に近接させるとともに、イメージセンサ５２を第二の搬送ローラ４７に近接させる。
【００６８】
サーマルヘッド２２が第一の搬送ローラ１７に近接すると、これらの間で孔版原紙組立体１の後端部側の孔版原紙４を挟み込む。またイメージセンサ５２が第二の搬送ローラ４７に近接すると、これらの間で原稿ホルダー２の後端部側を挟みこむ。この際、孔版原紙組立体１側では、タッチセンサ３４によって孔版原紙組立体１があることを検出する。また原稿ホルダー２側では、イメージセンサ５２が載置板６に形成された一対の検出用パターン７ａを読み込んでいることで原稿ホルダー２があることを検出する。
【００６９】
続いて、駆動機構を作動させて回転軸を回転させることで、第一の搬送ローラ１７および第二の搬送ローラ４７が回転し、それぞれ孔版原紙組立体１および原稿ホルダー２を搬送して各挿入口１１，４１から排出し始める。ある所定の排出が実行されると、イメージセンサ５２側では、原稿９の画像の読み取りが行われ、これと同時にサーマルヘッド２２側では、先に読み取った画像における孔版原紙２への書き込みが行われる。
【００７０】
なお、孔版原紙組立体１において、これを第一の挿入路１０に挿入する際、表裏面や挿入方向を誤るおそれがある。このような場合を想定し、本発明では、図５に示すように、孔版原紙組立体１の挿入先端１ａの一側に切欠部１ｂを設けている。そして、第一の挿入路１０の奥方には、切欠部１ｂに対応して嵌め込まれる凸部３５を設けている。このようにすれば、孔版原紙組立体１の表裏面や挿入方向を誤挿入した場合、切欠部１ｂのない部位が凸部３５に当接して孔版原紙組立体１がタッチセンサ３４まで届かず、装置側では未挿入として認識される為、これら誤挿入を防止することができる。また、上記切欠部１ｂと凸部３５は、誤挿入の他、切欠部１ｂの有無によって異なる種類の孔版原紙組立体１の誤挿入をも防止することが可能である。
【００７１】
また、原稿ホルダー２において、これを第二の挿入路１０に挿入する際に、表裏の面や挿入方向を誤った場合、イメージセンサ５２が載置板６に形成された一対の検出用パターン７ａを読み込むことができない。このため、装置側では未挿入として認識されるので、これら誤挿入を防止することができる。
【００７２】
さらに、上記の如く、孔版原紙組立体１と原稿ホルダー２のそれぞれの後挿入を防止することにより、孔版原紙組立体１の第二の挿入路４０への誤挿入、原稿ホルダー２の第一の挿入路１０への誤挿入も防止することが可能である。
【００７３】
ところで、上述した孔版原紙製版装置において、カラー画像を印刷するための製版を行う場合、シアン，マゼンタ，イエローの色分解が行われた製版をすることとなる。本実施の形態における孔版原紙製版装置では、単色の製版を含め、各製版を実施することが可能である。
以下、カラー画像を得るための図７に例示する操作パネルに従って、各製版動作を説明する。
【００７４】
操作パネル６０は、図１に示すように本装置の平面部分に配されている。この操作パネル６０は、図７の如く、製版設定キー６１、読取設定キー６２、スタートキー６３の操作キーがある。
また、製版設定キー６１の領域には、多色用製版（単版）を示す単版ランプ６１ａと、フルカラー用製版（分版）を示すシアンランプ６１ｂ、マゼンタランプ６１ｃ、イエローランプ６１ｄがある。
また、読取設定キー６２の領域には、文字モードを示す文字・イラストランプ６２ａと、写真・カラーイラストモードを示す現像写真ランプ６２ｂ、その他カラーランプ６２ｃがある。
また、スタートキー６３の領域には、スタートランプ６３ａがある。
【００７５】
まず、電源投入時では、単版ランプ６１ａと文字・イラストランプ６２ａが点灯する。この状態で、孔版原紙組立体１および原稿ホルダー２を第一の挿入路１０および第二の挿入路４０にセットして、スタートキー６３を押下すれば、単版の製版を行う（スタートランプ６３ａ点灯）。
【００７６】
次に、上記電源投入時の設定から、製版設定キー６１を押下する。これにより製版の設定がフルカラー用製版のモードに切り替わり、単色ランプ６１ａが消灯して、シアンランプ６１ｂが点灯する。また、読取設定キー６２の領域では、文字・イラストランプ６２ａが消灯して、現像写真ランプ６２ｂが点灯する。即ち、本製版装置の読み取り部Ｂ側では、シアン，マゼンタ，イエローの色分解をする読み取りを行うように設定が切り替わり、最初は色分解したうちのシアンの画像データを読み取る設定となる。
この状態で、孔版原紙組立体１および原稿ホルダー２をそれぞれセットして、スタートキー６３を押下すれば、シアンの製版を行う（スタートランプ６３ａ点灯）。
【００７７】
シアンの製版が終了後、製版設定キー６１の領域においてシアンランプ６１ｂが消灯して、マゼンタランプ６１ｃが点灯し、マゼンタの画像データを読み取る設定となる。
この状態で、新たな孔版原紙組立体１およびシアンの製版で使用した原稿ホルダー２をそれぞれセットして、スタートキー６３を押下すれば、マゼンタの製版を行う（スタートランプ６３ａ点灯）。
【００７８】
マゼンタの製版が終了後、製版設定キー６１の領域においてマゼンタランプ６１ｃが消灯して、イエローランプ６１ｄが点灯し、イエローの画像データを読み取る設定となる。
この状態で、新たな孔版原紙組立体１および先と同じ原稿ホルダー２をそれぞれセットして、スタートキー６３を押下すれば、イエローの製版を行う（スタートランプ６３ａ点灯）。
【００７９】
また、上記電源投入時の設定から、読取設定キー６２を押下しても、製版の設定が上述のフルカラー用製版のモードに切り替わる。
さらに、続けて読取設定キー６２を押下すれば、その他カラーモードとなり、シアンランプ６１ｂが点灯するとともに、その他カラーランプ６２ｃが点灯する。このモードも本製版装置の読み取り部Ｂ側では、シアン，マゼンタ，イエローの色分解をする読み取りを行う設定である。
【００８０】
したがって、上述した孔版原紙製版装置では、孔版原紙組立体１を第一の挿入路１０内に位置決めして挿入し、且つ、原稿９を保持する原稿ホルダー２を第二の挿入路４０内に位置決めして挿入するようにしている。また、位置決めされた状態が読み取り開始の基準位置であり、且つ、書き込み開始の基準位置とされており、孔版原紙組立体１に関しては、枠体３内の孔版原紙４のみに第一の搬送ローラ１７が当接するようにしている。これにより、枠体３を備えた孔版原紙組立体１への製版を適宜行うことが可能であり、さらに、原稿ホルダー２に保持された原稿９の読み取りと、孔版原紙組立体１の孔版原紙４への書き込み位置を正確にすることが可能となる。
【００８１】
特に、フルカラー画像をえるための製版に関しては、原稿ホルダー２に保持した原稿９の位置が変わらず、且つ、原稿ホルダー２の位置決めが正確に行われていることと、孔版原紙組立体１の位置決めが正確に行われていることから、シアン，マゼンタ，イエローに色分解された製版を正確な位置に行うことが可能であるため、従来のように孔版印刷装置側に煩雑な位置合せの機能と作用を必要とせずに印刷を行うことが可能となる。
【００８２】
なお、上述した実施の形態では、孔版原紙製版装置として、書き込み部Ａと読み取り部Ｂとを別々に備えた構成であるが、他の実施の形態として書き込み部Ａと読み取り部Ｂを共用した構成も考えられる。その構成を図８に示す。
また、図８では、上述した実施の形態において同一あるいは同等の構成には、同符号を付す。
【００８３】
図８に示すように、他の実施の形態としての孔版原紙製版装置は、上述した実施の形態での第一の挿入路１０と第二の挿入路４０が共通の挿入路７０をなし、上下のリブ片１２（４２）により孔版原紙組立体１あるいは原稿ホルダー２をそれぞれ挿入できるようになっている。また、挿入路７０内でのそれぞれの位置決めに関しては上述した実施の形態と同様に共通の先端位置決め部１３（４３）、共通の側縁位置決め部１５（４５）により位置決めされる。
【００８４】
挿入路７０内には、その内部にて、位置決めされた孔版原紙組立体１を挿入口７１から後退させる如く排出する第一の搬送ローラ１７と、この搬送中に孔版原紙組立体１の孔版原紙４に製版を行う書き込み手段１８（サーマルヘッド２２）が設けられている。また、書き込み手段１８としてのサーマルヘッド２２は、処理面２２ａを第一の搬送ローラ１７に対向させ、処理面２２ａと第一の搬送ローラ１７との間が近接あるいは離間するように第一の保持手段２３によって支持されている。
これら第一の搬送ローラ１７、書き込み手段１８（サーマルヘッド２２）、第一の保持手段２３に関する構成は上述した実施の形態と同様である。
【００８５】
挿入路７０内には、その内部にて、位置決めされた原稿ホルダー２を挿入口７１から後退させる如く排出する第二の搬送ローラ４７と、この搬送中に原稿ホルダー２の原稿９の画像情報の読み取りを行う読み取り手段４８（イメージセンサ５２）が設けられている。
【００８６】
第二の搬送ローラ４７は、第一の搬送ローラ１７を固定する回転軸１９とは別の回転軸１９’に固定されて第一の搬送ローラ１７と対をなすように併設されている。この第二の搬送ローラ４７は、図８では第一の搬送ローラ１７の手前側である挿入口７１近傍に設けられている。また、第二の搬送ローラ４７は、回転軸１９’に対し、駆動モータ２０および複数の歯車２１からなる駆動機構による第一の搬送ローラ１７側の回転軸１９の回転が伝達されて、図８中時計廻り反対方向に回転する。回転軸１９から回転軸１９’への回転の伝達は、例えば、図８に示すように、回転軸１９と回転軸１９’の間に架け廻された環状のベルト７２による。
【００８７】
読み取り手段４８としてのイメージセンサ５２は、読取面５２ａを第二の搬送ローラ４７に対向させ、読取面５２ａと第二の搬送ローラ４７との間が近接あるいは離間するように第二の保持手段５３によって支持されている。
これら読み取り手段４８（イメージセンサ５２）、第二の保持手段５３に関する構成は上述した実施の形態と同様である。
【００８８】
このような挿入路７０内において、孔版原紙組立体１が位置決めされている時、第一の保持手段２３によってサーマルヘッド２２が下降して第一の搬送ローラ１７に近接すると、孔版原紙組立体１の後端側にて孔版原紙４が第一の搬送ローラ１７とサーマルヘッド２２の間に挟まれることとなる。この状態から、第一の搬送ローラ１７を駆動すると、孔版原紙組立体１が挿入路７０から排出され始め、ある所定の排出が実行されると孔版原紙４への書き込みを開始することが可能となる。即ち、孔版原紙組立体１が位置決めされ、第一の保持手段２３によって孔版原紙組立体１が第一の搬送ローラ１７とサーマルヘッド２２の間に挟持された時が書き込み開始の基準位置となる。
【００８９】
また、挿入路７０内において、原稿ホルダー２が位置決めされている時、第二の保持手段５３によってイメージセンサ５２が下降して第二の搬送ローラ４７に近接すると、原稿ホルダー２の後端側が第二の搬送ローラ４７とイメージセンサ５２の間に挟まれることとなる。この状態から、第二の搬送ローラ４７を駆動すると、原稿ホルダー２が挿入路７０から排出され始め、ある所定の排出が実行されると原稿９の読み取りを開始することが可能となる。即ち、原稿ホルダー２が位置決めされ、第二の保持手段５３によって原稿ホルダー２が第二の搬送ローラ４７とイメージセンサ５２の間に挟持された時が読み取り開始の基準位置となる。
【００９０】
以下、他の実施の形態での孔版原紙製版装置の各動作を説明する。
まず、原稿ホルダー２を挿入路７０に挿入する。
この際、上面のカバーシート８を捲り、載置板６の枠線７内に原稿９を載置し、そのうえからカバーシート８を被せておく（図１参照）。
【００９１】
そして、上記の如く原稿ホルダー２において、カバーシート８が開閉できる他短縁辺側を挿入先端２ａとして、挿入路７０の挿入口７１に挿入し、原稿ホルダー２が止まるまで押し入れる。原稿ホルダー２が挿入路７０に対して止まるまで押し入れられた時、原稿ホルダー２は位置決め状態にある。
【００９２】
原稿ホルダー２を位置決め状態とした後、第二の保持手段５３側の操作レバー３３を操作する。この操作レバー３３の操作により、支持軸２９が回転し、第二の保持手段５３が作動してイメージセンサ５２を第二の搬送ローラ４７に近接させる。
【００９３】
イメージセンサ５２が第二の搬送ローラ４７に近接すると、これらの間で原稿ホルダー２の後端部側を挟みこむ。この際、イメージセンサ５２が載置板６に形成された一対の検出用パターン７ａを読み込んでいることで原稿ホルダー２があることを検出する。
【００９４】
続いて、駆動機構を作動させて回転軸を回転させることで、第一の搬送ローラ１７および第二の搬送ローラ４７が回転し、原稿ホルダー２を搬送して各挿入口７１から排出し始める。ある所定の排出が実行されると、イメージセンサ５２にて原稿９の画像の読み取りが行われる。読み取られた画像情報は、不図示の記憶手段にて記憶される。
【００９５】
次に、原稿ホルダー２が排出された後、孔版原紙組立体１を挿入路７０に挿入する。
この際、孔版原紙４側を上面、即ちサーマルヘッド２２が当接する側に向けるとともに、下面のバックシート５を、枠体３からの離れるように捲っておく（図１参照）。
【００９６】
そして、上記の如く孔版原紙組立体１において、バックシート５が開閉できる他短縁辺側を挿入先端１ａとして、挿入路７０の挿入口７１に挿入し、孔版原紙組立体１が止まるまで押し入れる。孔版原紙組立体１が挿入路７０に対して止まるまで押し入れられた時、孔版原紙組立体１は位置決め状態にある。
【００９７】
孔版原紙組立体１を位置決め状態とした後、第一の保持手段２３側の操作レバー３３を操作する。この操作レバー３３の操作により、支持軸２９が回転し、第一の保持手段２３が作動してサーマルヘッド２２を第一の搬送ローラ１７に近接させる。
【００９８】
サーマルヘッド２２が第一の搬送ローラ１７に近接すると、これらの間で孔版原紙組立体１の後端部側の孔版原紙４を挟み込む。
【００９９】
続いて、駆動機構を作動させて回転軸を回転させることで、第一の搬送ローラ１７および第二の搬送ローラ４７が回転し、孔版原紙組立体１を搬送して各挿入口７１から排出し始める。ある所定の排出が実行されると、サーマルヘッド２２にて、記憶手段に記憶された画像情報における孔版原紙２への書き込みが行われる。
【０１００】
なお、上述した他の実施の形態での孔版原紙製版装置において、カラー画像を印刷するための製版を行う場合、原稿ホルダー２を挿入した原稿９の画像読み取り時に、シアン，マゼンタ，イエローの色分解を行う。そして、その後の各孔版原紙組立体１の挿入時に、シアン，マゼンタ，イエローの各製版をそれぞれ行う。
【０１０１】
また、原稿９を読み取る際の記憶手段への記憶は、シアン，マゼンタ，イエローの各画像情報をまとめて記憶し、その後各孔版原紙組立体１への製版を行うようにする。あるいは、シアン，マゼンタ，イエローの各画像情報毎に原稿ホルダー２の挿入を行って各色毎に記憶し、その間に孔版原紙組立体１への各色毎の製版を行うようにしてもよい。
【０１０２】
したがって、他の実施の形態での孔版原紙製版装置では、書き込み部Ａと読み取り部Ｂが共通の挿入路７０に配されているため、装置の小型化を図ることができる。
【０１０３】
そして、この構成において、上述の実施の形態での効果と同様に、枠体３を備えた孔版原紙組立体１への製版を適宜行うことが可能であり、さらに、原稿ホルダー２に保持された原稿９の読み取りと、孔版原紙組立体１の孔版原紙４への書き込み位置を正確にすることが可能となる。
【０１０４】
また、特に、フルカラー画像を得るための製版に関し、原稿ホルダー２に保持した原稿９の位置が変わらず、且つ、原稿ホルダー２の位置決めが正確に行われていることと、孔版原紙組立体１の位置決めが正確に行われていることから、シアン，マゼンタ，イエローに色分解された製版を正確な位置に行うことが可能であるため、従来のように孔版印刷装置側に煩雑な位置合せの機能と作用を必要とせずに印刷を行うことが可能となる。
【０１０５】
なお、上述した全ての実施の形態における孔版原紙製版装置では、位置決めされた孔版原紙組立体１が、サーマルヘッド２２と第一の搬送ローラ１７との間で挟まれた書き込み開始の基準位置から、ある所定の排出が実行されると書き込みが開始されると説明しているが、これに限らず、上記書き込み開始の基準位置から孔版原紙組立体１が排出されると共に書き込みを開始するようにしてもよい。このように、書き込み開始の基準位置は、サーマルヘッド２２、第一の搬送ローラ１７および孔版原紙組立体１の各位置関係が、孔版原紙組立体１を排出できる状態にあり、また、孔版原紙組立体１の孔版原紙４に対して書き込み（製版）が可能とされている状態にある位置となる。
【０１０６】
さらに、読み取り開始の基準位置についても同様に、位置決めされた原稿ホルダー２が、イメージセンサ５２と第二の搬送ローラ４７との間で挟まれた読み取り開始の基準位置から、ある所定の排出が実行されると読み取りが開始されると説明しているが、これに限らず、上記読み取り開始の基準位置から原稿ホルダー２が排出されると共に読み取りを開始するようにしてもよい。このように、読み取り開始の基準位置は、イメージセンサ５２、第二の搬送ローラ４７および原稿ホルダー２の各位置関係が、原稿ホルダー２を排出できる状態にあり、また、原稿ホルダー２にある原稿９の読み取りが可能とされている状態にある位置となる。
【０１０７】
また、上述した全ての実施の形態における孔版原紙製版装置では、孔版原紙組立体１に対して画像を書き込む書き込み部Ａと共に、孔版原紙組立体１に書き込むべき画像を読み取るように、原稿ホルダー２に保持された所望の原稿を読み取る読み取り部Ｂを兼備しているが、読み取り部Ｂを別にして外部からの画像情報を取り込むようにした書き込み部Ａのみの構成であってもよい。
この構成であっても、孔版原紙組立体１の正確な位置決めをし、正確な製版を行うことが可能である。
【０１０８】
また、上述した全ての実施の形態において、挿入路１０，４０，７０の奥方の上部を覆う外筐カバー８０（図１、図３、図８参照）を透明性の材料にて形成することが好ましい。このようにすれば、孔版原紙組立体１や原稿ホルダー２が挿入され、且つ、各先端位置決め部１３，４３へ当接された状態の確認を目視で行うことが可能となる。また、前記カバー８０を透明性の材料にて形成しなくても、各先端位置決め部１３，４３の周囲が目視できるように窓部（不図示）を開口さたり、該窓部にかかる部分だけを透明性の材料にするようにしてもよい。
【０１０９】
【発明の効果】
以上説明したように本発明による孔版原紙製版装置は、孔版原紙組立体を挿入路内に位置決めして挿入し、この位置決めした状態を書き込み開始の基準位置とするとともに、孔版原紙組立体に対して孔版原紙に搬送ローラが当接するようにしている。これにより、枠体を備えた孔版原紙組立体への製版を正確な位置に行うことができる。
【０１１０】
請求項１に記載の孔版原紙製版装置は、孔版原紙組立体を第一の挿入路内に位置決めして挿入し、且つ、原稿を保持する原稿ホルダーを第二の挿入路内に位置決めして挿入するようにしている。また、それぞれの位置決めされた状態が読み取り開始の基準位置であり、且つ、書き込み開始の基準位置とされており、孔版原紙組立体に対して孔版原紙に第一の搬送ローラが当接するようにしている。これにより、枠体を備えた孔版原紙組立体への製版を正確な位置に行うことができ、さらに、原稿ホルダーに保持された原稿の読み取りも、孔版原紙組立体に対応した位置に正確に行うことができる。
【０１１１】
請求項２に記載の孔版原紙製版装置は、請求項１に記載の孔版原紙製版装置において、第一の搬送ローラと第二の搬送ローラを共通の回転軸で共通の駆動機構によって駆動し、且つ、第一の保持手段と第二の保持手段が、書き込み手段と読み取り手段とを共に連動するように構成しているため、孔版原紙組立体と原稿ホルダーの位置決めおよび搬送（読み取り，書き込み）を同時に行うことができる。また、各搬送ローラの駆動機構の構成および各保持手段の構成を簡素化して、装置の小型化を図ることができる。
【０１１２】
請求項３に記載の孔版原紙製版装置は、孔版原紙組立体と原紙ホルダーを共通の挿入路に挿入して位置決めするようにしているため、請求項１にかかる効果に加え、装置の小型化を図ることができる。
【０１１３】
各請求項に記載の孔版原紙製版装置は、特に、フルカラー画像を得るための製版に関し、原稿ホルダーに保持した原稿の位置が変わらずに保持され、且つ、原稿ホルダーの位置決めが正確に行われていることと、孔版原紙組立体の位置決めが正確に行われていることから、シアン，マゼンタ，イエローに色分解された製版を正確な位置に行うことができる。これにより、孔版印刷装置側に煩雑な位置合せの機能と作用を必要とせずに印刷を行うことができる。
【図面の簡単な説明】
【図１】本発明の孔版原紙製版装置の実施の形態を示す斜視図。
【図２】同孔版原紙製版装置の横断面図（平面視）。
【図３】同孔版原紙製版装置の縦断面図（側面視）。
【図４】同孔版原紙製版装置の縦断面図（正面視）。
【図５】同孔版原紙製版装置の使用状態を示す横断面図（平面視）。
【図６】同孔版原紙製版装置の使用状態を示す縦断面図（側面視）。
【図７】同孔版原紙製版装置の操作パネルを示す図。
【図８】本発明の孔版原紙製版装置の他の実施の形態を示す縦断面図（側面視）。
【図９】一般的な孔版印刷装置を示す斜視図。
【符号の説明】
１…孔版原紙組立体、２…原稿ホルダー、３…枠体、４…孔版原紙、６…載置板、８…カバーシート、９…原稿、１０…第一の挿入路、１３…先端位置決め部、１５…側縁位置決め部、１７…第一の搬送ローラ、１８…書き込み手段、１９…回転軸、２３…第一の保持手段、４０…第二の挿入路、４３…先端位置決め部、４５…側縁位置決め部、４７…第二の搬送ローラ、４８…読み取り手段、５３…第二の保持手段。
【図１】
0003756696.tif 000002
【図２】
0003756696.tif 000003
【図３】
0003756696.tif 000004
【図４】
0003756696.tif 000005
【図５】
0003756696.tif 000006
【図６】
0003756696.tif 000007
【図７】
0003756696.tif 000008
【図８】
0003756696.tif 000009
【図９】
0003756696.tif 000010